(57)【要約】【課題】病院、介護施設、保育所、幼稚園など内での家具を購入して部屋に設置する状況の好みの写真プリントしたボンド磁性シートを貼った家具によって部屋の環境も簡単な操作で実現できる顧客対応できる親しみ、癒し感が得られる写真を貼った家具の貸与・販売方法を提供する。【解決手段】ボンド磁性シートを付着可能になっている表装材とスチール箔を含む化粧板を貼りつけている磁性シート付着化粧板を使用した家具を、家具販売者が所持している人物、又は物品・風景として、プリントされた各種のボンド磁性シートを、期間限定で貸し出したり、家具販売者は予め各種プリントしたボンド磁気シートのデータベース、およびリストアップしている以外に所望の写真の構図の画像をプリントして提供できるようにプログラムを準備し、出力データから購入顧客が選んだ写真をボンド磁性シートの表面に印刷したものを、家具とともに貸与・販売する磁性シート付着化粧板を使用した家具の貸与・販売方法である。【選択図】図１
2018010604.tif 000002
【特許請求の範囲】
【請求項１】
ボンド磁性シートを付着可能になっている表装材とスチール箔を含む化粧板を貼りつけている磁性シート付着化粧板を使用した家具において、購入希望の顧客に対して、家具販売者が所持している人物、又は物品・風景として、親近者、友人、親戚の顔写真、スナップ写真、好みの風景、食品のプリント写真、ペット写真、及び何時も心に思っている言葉などの文体をプリントされた各種のボンド磁気シートを、期間限定で貸し出したり、あるいは販売したりして、家具販売者は予め各種プリントしたボンド磁性シートのデータベース、およびリストアップしている以外に所望の写真の構図の画像をプリントして提供できるようにプログラムを準備し、顧客が家具を選別するとともに、該データベースを検索する上で顧客要望の写真、画像のリスト、および関連付けた写真の画像を出力し、出力データから購入顧客が選んだ写真をボンド磁性シートの表面に印刷したものを、選定した家具とともに一定の期間貸出するか、又は販売することを特徴とする磁性シート付着化粧板を使用した家具の貸与・販売方法。
【請求項２】
ボンド磁性シートの表面にプリントする写真・文体のデータベースは、１００種類以上の好みの風景、自然、動物、植物、乗り物、食品のプリント写真、ペット写真と合わせて、部分的に文字、書体の形態などをリストアップして、写真と併せて添え書きを加えた構図を掲載して、顧客が検索できるようになっており、貸出、又は販売におけるプリントした写真の画像は、ボンド磁気シートにプリントできるように、また要望する親近者、友人、親戚の顔写真、およびスナップ写真は、顧客からの画像の送信を受けて、所望のプリントの構図にした後に顧客の確認のもとにボンド磁性シートにプリントして提供できるようにしていることを特徴とする請求項１に記載の磁性シート付着化粧板を使用した家具の貸与・販売方法。
【請求項３】
各種の写真をプリントされたボンド磁性シートは、顧客の家具購入者に対して、半年〜１年間に亘り貸し出し、その間月間一枚の割合でデータベース化されてプリントしたＡ４寸法以上の寸法でボンド磁性シートを交換・貸与を行い、最終的に１枚を提供し、一定期間以後にプリント写真は要望によって対価を受け取り、一方リストされた写真でＡ４サイズ以外の大型寸法、又は要望する親近者、友人、親戚の顔写真、およびスナップ写真画像の送信を受けてボンド磁性シートにプリントしたものは、家具販売とともに１〜２枚を提供するものであって、前記家具とともに一定の期間貸出、又は販売することを特徴とする請求項１、又は請求項２に記載の磁性シート付着化粧板を使用した家具の貸与・販売方法。
【請求項４】
当該家具の表面、側面に使用する写真をプリントされたボンド磁性シートは、プラスチック製、又はゴム製のシートであって、その平面シート形状が、基本的に長方形で、又は略矩形、略三角形、円形、又は四角形以上の略多角形のうちの少なくとも何れか一つでも可能であって、一般的には厚さ０．２〜１ｍｍで、大きさは縦２１０ｍｍ、横２９７ｍｍのＡ４版、及び縦４２０ｍｍ、横２９７ｍｍのＡ３版、縦４２０ｍｍ、横５９４ｍｍのＡ１版の基準を主体として、家具にマッチした寸法、又は要望の寸法の磁気シートに提供できることができ、シートが付着可能になっている表装材とスチール箔を含む化粧板に付着できる磁力として、残留磁束密度（Ｂｒ）＝２〜５ｋＧ，  保磁力（Ｈｃ）＝２〜１０ｋＯｅ、最大エネルギ積（ＢＨｍａｘ）＝１〜１０ＭＧＯｅにしていることを特徴とする請求項１〜請求項３のいずれかに記載のる磁性シート付着化粧板を使用した家具の貸与・販売方法。
【請求項５】
磁性シート付着化粧板を使用した家具は、引出、開き戸、引戸を持つものであり、流し台、調理台等の厨房設備、洗面化粧台等の衛生設備、あるいは食器戸棚、ワゴン、クロゼット等の家具が備える扉や引出しの前板であって、チェスト、箪笥、ロッカー、床頭台、シューズボックス、食器棚、洋服箪笥、本棚であって、表面と側面と合わせた面積で３０〜１００％にボンド磁性シートを付着できる装飾性表装材を張り付けた箱型の家具にしていることを特徴とする請求項１〜請求項４のいずれかに記載の磁性シート付着化粧板を使用した家具の貸与・販売方法。
【請求項６】
磁性シート付着化粧板を使用した家具に対してボンド磁性シートを付着できる装飾性表装材である強磁性を持つ化粧板において、表装材の表面には、０・０５〜０．５ｍｍの生地色から濃厚色、又は自然素材の木質の質感をもつ模様を施した紙体、又は突板、又は樹脂フイルムを貼って、磁気吸着力を持つ表面体内に２５〜１００μｍの厚さのスチール箔を含んでいる化粧板を使用している家具であることを特徴とする請求項１〜請求項５のいずれかに記載の磁性シート付着化粧板を使用した家具の貸与・販売方法。
【発明の詳細な説明】
【技術分野】
【０００１】本発明は、家具の表面、側面に磁性シート付着化粧板を張り付けた家具を、ボンド磁性シートを付着させた家具の様式、模様を自由に選択できて、しかもボンド磁気シートの表面にプリントする写真・文体を顧客の好みに応じて提供できるようにした磁性シート付着化粧板を使用した家具の貸与・販売方法に関するものである。
【背景技術】
【０００２】住宅での色彩選択において、細長い平板状の化粧板を用いた内装方法に係る技術は、表側の面の一部に粘着剤を塗布してなる粘着板を、下地の柱部材の表面に釘により打ち付けることにより各柱部材にそれぞれ取り付け、各粘着板の表側の面における粘着剤を塗布していない部分に接着剤を塗布したのち、複数枚の化粧板を各化粧板の突合せ部分が粘着板の表側の表面に位置するようにして連続的に固着するものである方法が提案されている（特許文献１参照）。【０００３】また住宅の壁の被装飾面に接着により取り付けて被装飾面を化粧する化粧材の施工技術は、互いに隣接配置される２枚の化粧材を、化粧材どうしの継ぎ目部分に、あらかじめ化粧材の裏側から継ぎ目部分を覆うように両面テープを貼り付けておき、さらに、化粧材の裏側に接着剤を塗布してから被装飾面に貼り付けるものである（特許文献２参照）。【０００４】キッチンパネルのレイアウト全体を所望のカラーパターンにデザインすることのできるキッチンパネル色コーディネートシステムを提供するために、ポインタをフロアユニットにおける一つの分割パネル区分に近づけて、ポインタと重なった分割パネル区分が分割区分枠で囲まれる。ユーザーはその場所でマウスをクリックし分割パネル区分を指定し、次にカラーサンプルから自分の好みに合った一つの色を選ぶ。色を決めると、ポインタがその色と重なった場所においてクリックすると、先ほど選択しておいた分割パネル区分の色が選んだ色へと変わるような操作を繰り返すことで、レイアウトを自分の好みに合ったデザインへと変更することが可能となる方法が提案されている（特許文献３参照）。【０００５】仮想商店街を立ち上げて、訪問者がパーソナルブランドに取り組みたくなるような商品展示をして、商品そのものの分かり易い立体的展示及びその製作手順の解説をし、さらに、デザイン、材料、加工ノウハウを提供し、顧客が創作に取り組む場合の色々な支援グループのネットワークを形成し、オリジナルな家具や皮革製品、日用品の創作の手助けができる物とサービスのサプライ・チェイン・マネジメントシステムを完成させる方法を提案されている（特許文献４参照）。【０００６】ダイニングボード、およびリビングボードの家具を色彩において自由に選択できるようになっている家具選択が可能になっているものは存在してない。
【先行技術文献】
【特許文献】
【０００７】
【特許文献１】特開平５−１４８９７４号公報
【特許文献２】特開２００５−２２０５２９号公報
【特許文献３】特開２０１１−２４８５５４号公報
【特許文献４】特開２００７−２６２８０号公報
【発明の概要】
【発明が解決しようとする課題】
【０００８】家具の表面、側面に磁性シート付着化粧板を張り付けた家具を、ボンド磁性シートを付着させた家具の様式、模様を自由に選択できて、ボンド磁気シートの表面にプリントする写真・文体を提供できるようにして磁性シート付着化粧板を使用した家具の貸与・販売方法において、選択した家具において写真をプリントしたボンド磁気シートと家具の注文品よりも安価に、自由度を高めた装飾性の家具の貸与・販売方法を提供することを目的とする。【０００９】家具購入顧客が自分で家具の販売店に出向いて家具を購入する場合には，顧客は癒された家具を設置する環境（具体的には自分の家の居間等の部屋）に実際に自分の好きな写真、風景、人物の写真が部屋の中に何時もいることで、親しみ、癒しも増してきて、写真をプリントしたボンド磁気シートを張った家具を設置した部屋が楽しみももたれる。【００１０】この状況を自身の記憶に頼って部屋内を想像しながら写真を張った家具を選択するのが望まれている。特に写真をプリントしたボンド磁気シートを張った家具の表面を好みの写真にすることによって，上記環境と精神的安定感のとれた家具を購入することが期待されている。このボンド磁気シートを種々交換できて、新規写真も家具に登場することを行えれば、家具の販売の促進を進めることができる。【００１１】そのため，親近者、友人、親戚の顔写真、スナップ写真、好みの風景、食品のプリント写真、ペット写真、及び何時も心に思っている言葉などの文体をプリントされた各種のボンド磁気シートのように、顧客自身の好みの写真プリントしたボンド磁気シートを貼った家具によってダイニングルーム、およびリビングルームの部屋に設置しても，その設置状況が購入時にユーザー自身で満足感がえられて，結果的に上記部屋と自身の調和のとれない家具を設置せざる得ない状況となってしまうことの問題がある。親近者、友人、親戚の顔写真、スナップ写真、好みの風景、食品のプリント写真、ペット写真、及び何時も心に思っている言葉などの文体をプリントされた各種のボンド磁気シートをの家具を購入する場合に家具の表面に一般の顧客にとっては室内の調和と気分によって写真を選択することで、磁性シート付着化粧板を使用した家具の販売の促進が図られる。【００１２】そこで，本考案は上記事情に鑑みてなされたものであり，その目的とするところは，病院、介護施設、保育所、幼稚園、学校など内での家具を購入して部屋に設置する状況の好みの写真フイルムシートを貼った家具によって部屋の環境も簡単な操作で実現できる顧客対応できる親しみ、癒し感が得られる写真を貼った家具の貸与・販売方法を提供することである。
【課題を解決するための手段】
【００１３】ボンド磁性シートを付着可能になっている表装材とスチール箔を含む化粧板を貼りつけている磁性シート付着化粧板を使用した家具を、購入希望の顧客に対して、家具販売者が所持している人物、又は物品・風景として、親近者、友人、親戚の顔写真、スナップ写真、好みの風景、食品のプリント写真、ペット写真、及び何時も心に思っている言葉などの文体をプリントされた各種のボンド磁性シートを、期間限定で貸し出したり、あるいは販売したりして、家具販売者は予め各種プリントしたボンド磁性シートのデータベース、およびリストアップしている以外に所望の写真の構図の画像をプリントして提供できるようにプログラムを準備し、顧客が家具を選別するとともに、該データベースを検索する上で顧客要望の写真、画像のリスト、および関連付けた写真の画像を出力し、出力データから購入顧客が選んだ写真をボンド磁性シートの表面に印刷したものを、選定した家具とともに一定の期間貸出するか、又は販売する磁性シート付着化粧板を使用した家具の貸与・販売方法である。【００１４】ボンド磁気シートの表面にプリントする写真・文体のデータベースは、１００種類以上の好みの風景、自然、動物、植物、乗り物（自動車、電車、飛行機）、食品のプリント写真、ペット写真と合わせて、部分的に文字、書体の形態などをリストアップして、写真と併せて添え書きを加えた構図を掲載して、顧客が検索できるようになっており、貸出、又は販売におけるプリントした写真の画像は、ボンド磁性シートにプリントできるように、また要望する親近者、友人、親戚の顔写真、およびスナップ写真は、顧客からの画像の送信を受けて、所望のプリントの構図にした後顧客の確認のもとにボンド磁性シートにプリントして提供する。【００１５】各種の写真をプリントされたボンド磁性シートは、顧客の家具購入者であって、半年〜１年間の貸し出しに亘り、月間一枚の割合でデータベース化されてプリントしたＡ４寸法以上寸法でボンド磁性シートを貸与・交換を行い、最終的に１枚を提供した。その後要望するプリント写真は対価を払っていただき、一方リストされた写真でＡ４以外の大型寸法、又は要望する親近者、友人、親戚の顔写真、およびスナップ写真画像の送信を受けてボンド磁性シートにプリントしたものは、１〜２枚を提供して、家具とともに一定の期間貸出、或いは販売した。【００１６】当該家具の表面、側面に使用する写真をプリントされたボンド磁性シートは、プラスチック製、又はゴム製のシートであって、その平面シート形状が、基本的に長方形で、又は略矩形、略三角形、円形、又は四角形以上の略多角形のうちの少なくとも何れか一つでも可能であって、一般的には厚さ０．２〜１ｍｍで、大きさは縦２１０ｍｍ、横２９７ｍｍのＡ４版、及び縦４２０ｍｍ、横２９７ｍｍのＡ３版、縦４２０ｍｍ、横５９４ｍｍのＡ１版の基準を主体として、家具にマッチした寸法、又は要望の寸法の磁気シートに提供できることができ、ボンド磁性シートが付着可能になっている表装材とスチール箔を含む化粧板に付着できる磁力として、残留磁束密度（Ｂｒ）＝２〜５ｋＧ，  保磁力（Ｈｃ）＝２〜１０ｋＯｅ、最大エネルギ積（ＢＨｍａｘ）＝１〜１０ＭＧＯｅにしている。【０���１７】磁性シート付着化粧板を使用した家具は、引出、開戸、引戸を持つもので、流し台、調理台等の厨房設備、洗面化粧台等の衛生設備、あるいは食器戸棚、ワゴン、クロゼット等の家具が備える扉や引出しの前板であって、チェスト、箪笥、ロッカー、床頭台、食器棚、洋服箪笥、テレビボード、本棚であって、表面と側面と合わせた面積で３０〜１００％にボンド磁性シートを付着できる装飾性表装材を張り付けている。【００１８】磁性シート付着化粧板を使用した家具に対してボンド磁性シートを付着できる装飾性表装材である強磁性を持つ化粧板において、表装材の表面には、０・０５〜０．５ｍｍの生地色から濃厚色、又は自然素材の木質の質感をもつ模様を施した紙体、又は突板、又は布体、又は樹脂フイルムを貼って、磁気吸着力を持つ表面体内に２５〜１００μｍの厚さのスチール箔を含んでいる化粧板を使用している。
【発明の効果】
【００１９】病院、介護施設、保育所、幼稚園、学校など内で写真を貼った家具を、選択された家具部材を用いて構成される部屋の家具の画像が発注者の家具の情報選択手段にディスプレイされる。これによって、発注者が家具部材を選択する上で設置したイメージとおりの家具になり、家具を構成する家具部材を選択することが容易であるとともに、選択された家具と家具部材で構成される病院、介護施設、保育所、幼稚園、学校など内での家具を画像で見て確認することができるため、発注者は確実に所望の写真プリントしたボンド磁性シートを張った家具の貸与・販売方法を提供することができる。【００２０】上述の方法で病院、介護施設、保育所、幼稚園、学校など内で写真プリントしたボンド磁性シートを貼った家具を注文することで、多数の商品の展示も必要がなく、展示場をコンパクトにすることができて、営業、企画にかかる人件費、経費を削減することができる。顧客が選択した色彩、形状によって組み立てた後の段階で出荷するので、発注者が家具部材を選択する上で設置したイメージが家具になり、顧客が要望された自由な色彩、寸法の病院、介護施設、保育所、幼稚園、学校など内での家具を提供することができる。需要者が要望する形状、色彩の組み立てによって、全体的な人件費などの経費を削減することができた。磁性シート付着化粧板を使用した家具の貸与・販売が促進できた。
【図面の簡単な説明】
【００２１】
【図１】写真プリントしたボンド磁性シートの状態図
【図２】写真プリントしたボンド磁性シートの活用方法の図
【図３】写真プリントしたボンド磁性シートと家具の販売の手法の図
【図４】写真プリントしたボンド磁性シートの構成の図
【図５】写真をプリントしたボンド磁性シート（写真シート）付き家具の斜視図である。Ａ：洋服箪笥  Ｂ：チェスト
【図６】写真をプリントしたボンド磁性シート（写真シートの貼着）の状態図である。Ａ：ロッカーとチェストの組み合わせ家具における状態  Ｂ：洋服箪笥とテレビ台とチェストを組み合わせた状態
【図７】絵柄をプリントしたボンド磁性シートにおける写真の種類とデータベースを示す図である。
【発明を実施するための形態】
【００２２】以下、本考案の実施形態について、図面を参照して説明する。
図１は、写真をプリントした樹脂フイルム付き洋服箪笥の斜視図である。図２は写真をプリントしたフイルムの状態図である。図４は写真をプリントしたシートを使用したチェストの配置斜視図である。図５は写真をプリントした写真付シート付きテレビボードを示す概略斜視図である。
【００２３】磁性シート付着化粧板を使用した家具を、購入希望の顧客に対して、家具販売者が所持している人物、又は物品・風景として、親近者、友人、親戚の顔写真、スナップ写真、好みの風景、食品のプリント写真、ペット写真、及び何時も心に思っている言葉などの文体をプリントされた各種のボンド磁気シートを、期間限定で貸し出したり、あるいは販売したりして、家具販売者は予め各種プリントしたボンド磁気シートのデータベース、およびリストアップしている以外に所望の写真の構図の画像をプリントして提供できるようにプログラムを準備し、顧客が家具を選別するとともに、該データベースを検索する上で顧客要望の写真、画像のリスト、および関連付けた写真の画像を出力し、出力データから購入顧客が選んだ写真をボンド磁気シートの表面に印刷した
【実施例１】
【００２４】図５に示すように、ボンド磁性シートを付着できる表装材とスチール箔を含む化粧板を使用した家具を製作した。図３に示すように、前記の家具を購入希望の顧客に対して、家具販売者が所持している人物、又は物品・風景として、親近者、友人、親戚の顔写真、スナップ写真、好みの風景、食品のプリント写真、ペット写真、及び何時も心に思っている言葉などの文体をプリントされた各種のボンド磁気シートを製作して、購入顧客には一定の期間を限定にして貸し出、あるいは販売した。【００２５】家具販売者は、予め各種の大きさのプリントしたボンド磁性シートをデータベースして、又はリストアップしている以外に所望の写真の構図の画像をプリントして提供できるようにプログラムを構成した。このプログラムで顧客が要望する家具を選別した上で、該データベースを検索する上で顧客要望の写真、画像のリスト、および関連付けた写真の画像を出力し、出力データから購入顧客が選んだ写真をボンド磁性シートの表面に印刷して、選定した家具とともに一定の期間貸出するか、又は販売する磁性シート付着化粧板を使用した家具の貸与・販売方法、システムを確立した。【００２６】家具販売者は、ボンド磁性シートの表面にプリントする写真・文体のデータベースは、１００種類以上の風景、自然、動物、植物、乗り物、食品のプリント写真、ペット写真と合わせて、部分的に文字、書体の形態などをリストアップして、写真と併せて添え書きを加えた構図を掲載して、顧客が検索できるようにした。また貸出、又は販売におけるプリントした写真の画像は、ボンド磁気シートにプリントできるように、また顧客が要望する親近者、友人、親戚の顔写真、およびスナップ写真は、顧客からの画像の送信を受けて、所望のプリントの構図にした後に顧客の確認のもとにボンド磁性シートにプリントして提供できるようなシステムにした。【００２７】要望人物の写真をプリントされたボンド磁性シートは、顧客の家具購入者に対して、半年間に亘り貸し出し、その間月間一枚の割合でデータベース化されてプリントしたＡ３程度のボンド磁性シートを毎月一回交換・貸与を行い、最終的に最後に貸与した磁気シートの１枚を提供した。半年以後には要望するプリント写真は対価を受け取った。要望するプリントとしては親近者、友人、親戚の顔写真、およびスナップ写真画像の送信を受けて、構成画像をボンド磁性シートにプリントをおこなった。この当該シートは、家具販売とともに１枚を提供して、前記家具とともに販売した。【００２８】当該購入した家具の表面、側面に使用する写真をプリントされたボンド磁性シートは、ゴム製のシートであって、その平面シート形状が、基本的に長方形であって、一般的には厚さ０．３ｍｍで、大きさは縦２１０ｍｍ、横２９７ｍｍのＡ４版〜縦４２０ｍｍ、横２９７ｍｍのＡ３版を基準体として、家具にマッチした寸法、又は要望の寸法の磁気シートに提供できるようにした。ボンド磁性シートが付着可能になっている表装材とスチール箔を含む化粧板に付着できる磁力として、フェライト系のゴム磁石シートであって、残留磁束密度（Ｂｒ）＝２ｋＧ，  保磁力（Ｈｃ）＝２ｋＯｅを使用した。【００２９】磁性シート付着化粧板を使用した家具は、引���、開き戸、引戸を持つものでチェストであって、表面と側面と合わせた面積で５００％にボンド磁性シートを付着できる装飾性表装材を張り付けた箱型の家具にした。【００３１】磁性シート付着化粧板を使用した家具に対してボンド磁性シートを付着できる装飾性表装材である強磁性を持つ化粧板において、表装材の表面には、０・１ｍｍの生地色から自然素材の木質の質感をもつ模様を施した突板模様の樹脂フイルムを貼って、磁気吸着力を持つ表面体内に５００μｍの厚さのスチール箔を含んでいる化粧板を使用している家具であった。
【実施例２】
【００３２】実施例１と同様にしたシステムにして、当該購入した箪笥家具の表面、側面に使用する写真をプリントされたボンド磁性シートは、はゴム製のシートであって、その平面シート形状が、基本的に長方形であって、一般的には厚さ０．２ｍｍで、大きさは、縦４２０ｍｍ、横５９４ｍｍのＡ１版の基準を主体として、要望の寸法の磁気シートに提供した。ボンド磁性シートが付着可能になっている表装材とスチール箔を含む化粧板に付着できる磁石は、フェライト系のゴムシートで、残留磁束密度（Ｂｒ）＝３ｋＧ，  保磁力（Ｈｃ）＝４ｋＯｅ、を使用した。【００３３】前記の磁性シート付着化粧板を使用した家具は、引出、開き戸、引戸を持つ箪笥であって、表面と側面と合わせた面積で８０％にこのゴムのボンド磁性シートを付着できる装飾性表装材を張り付けた箪笥に張った。【００３４】磁性シート付着化粧板を使用した家具に対してボンド磁性シートを付着できる装飾性表装材である強磁性を持つ化粧板において、表装材の表面には、０．０５ｍｍの樹脂フイルムを貼って、磁気吸着力を持つ表面体内に５０μｍの厚さのスチール箔を含んでいる化粧板を使用している家具であった。
この家具に月一回に親近者の顔写真をプリントしてもらって、箪笥の表面、側面に張ることを６回おこなった。顔写真はカメラで撮って、これを家具販売者に送って、画像を構成してもらって、ボンド磁性シートにプリントしてもらって受け取った。【００３５】子供、妻、孫、ペットなど半年間、６回シートを張り替え、部屋の雰囲気が大きく変わり、賑やかに雰囲気になり、気分的に朗らかな状態がもたらされた。
【実施例３】
【００３６】実施例１のようなシステムにおいて、当該購入した家具の表面に使用するテレビボードに写真をプリントされたボンド磁性シートは、ゴム製のシートであって、その平面シート形状が、基本的に略矩形四角形であって、一般的には厚さ０．２５ｍｍで、大きさは縦４２０ｍｍ、横５９４ｍｍのＡ１版の基準を主体として、家具にマッチした寸法、又は要望の寸法の希土類磁石の磁気シートに提供できることができ、ボンド磁性シートが付着可能になっている表装材とスチール箔を含む化粧板に付着できる磁力として、残留磁束密度（Ｂｒ）＝５ｋＧ，  保磁力（Ｈｃ）＝１０ｋＯｅにした。【００３７】磁性シート付着化粧板を使用した家具は、開き戸、引戸を持つテレビボードであって、表面の面積で５０％にボンド磁性シートを付着できる装飾性表装材を張り付けた【００３８】磁性シート付着化粧板を使用した家具に対してボンド磁性シートを付着できる装飾性表装材である強磁性を持つ化粧板において、表装材の表面には、０．５ｍｍの生地色から突板フイルムを貼って、磁気吸着力を持つ表面体内に２５μｍの厚さのスチール箔を含んでいる化粧板を使用している家具であった。
【実施例４】
【００３９】部屋の環境にマッチできるように表面仕上げする対象面を選択できるサイドボード家具であって、写真・絵柄をプリントした樹脂フイルムを家具表面の３／４に付けて、サイドボード家具の表面を有する板状基材の化粧表面に形成される色彩・模様を自由に選択した。【００４０】サイドボード家具に貼り付けている写真をプリントした樹脂フイルムは、縦５００ｍｍ、横５００ｍｍの形状の樹脂製のシートであって、その平面シート形状が四角形で、人物の写真を樹脂プイルムにプリントで描かれたものであって、それらの写真のフイルムで自由に選択を行うことによってサイドボード家具の表面の模様に加えて、所望の人物写真を持ったリビングボードのサイドボード家具の表面によって部屋内を親近化で増した状態にした。
【実施例５】
【００４１】部屋の環境にマッチできるように表面仕上げする対象面を選択できるチェスト家具であって、写真・絵柄をプリントした樹脂フイルムを家具表面の２／４に付けて、家具の表面を有する板状基材の化粧表面に形成される色彩・模様を自由に選択できるようにしている。【００４２】家具に貼り付けている写真・絵柄をプリントした樹脂フイルムは、大型の縦５００ｍｍ、横９００ｍｍの形状の樹脂製のシートであって、その平面シート形状が長方形で、人物の写真を樹脂プイルムにプリントで描かれたものであって、それらの写真のフイルムを自由に選択を行うことによってチェスト家具の表面の模様に加えて、所望の人物写真を持ったチェストの家具の表面によって部屋内を親近化で増した状態にした。
【実施例６】
【００４３】部屋の環境にマッチできるように表面仕上げする対象面を選択できる横６００ｍｍ、奥行き４５０ｍｍ、高さ１８００  ｍｍｍであるロッカーであって、このロッカーに貼りつけた写真をプリントした樹脂フイルム付き家具の表面を有する板状基材の化粧表面に形成される色彩・模様を５０種類のなから選択した写真を取り付けた。【００４４】ロッカーに取り付けているは、縦３００ｍｍ、横２００ｍｍの形状の樹脂製のシートであって、その平面形状が略矩形であり、写真をプリントした樹脂フイルム付き家具の名称を記載してある。ロッカーに入って、形状、模様と色彩との５０種類のパターンを持っており、それらを自由に選択すると所望の写真の形状と模様に色彩を着けたロッカーであった。【００４５】ロッカー発注者は、選択されたロッカーの部材を用いて構成されるロッカーの画像が発注者の情報選択手段に画像に取り出した。これによって、そのロッカーを構成する家具部材を選択することが容易になり、選択されたロッカーで構成される画像で見て確認することができた。
【符号の説明】
【００４６】１、家具
２、写真シート（プリントしたシート）
３、表面
４、天板
５、側板
６、ボンド磁性シート
７、合板
８、開き戸
９、引出
１０、ロッカー
１１、チェスト
１２、洋服箪笥
１３、テレビ台
１４、写真
【図１】
2018010604.tif 000003
【図２】
2018010604.tif 000004
【図３】
2018010604.tif 000005
【図４】
2018010604.tif 000006
【図５】
2018010604.tif 000007
【図６】
2018010604.tif 000008
【図７】
2018010604.tif 000009